(57)【要約】【課題】建物内の給配水管は築２５年以上も経過すると赤錆やスケールが付着して、配管を激しく老朽化させ、水質を低下させて飲料水として使用できない事態になる。さらに進行すると管にピンホールが発生し、漏水や管破損を引き起こす。そこで、磁場処理等の技術が提案されているが、管を切断したりして大工事になり、膨大な費用を必要としている。給水管を切断せずに装着できる強力磁場活吸水器も市販されている、これらの完成品装置を老朽化した建物に設置するには高価すぎる。【解決手段】本発明は、強力な磁石と特殊な遠赤外線輻射セラミックスシートとから活水器部品を造り、強力な磁場内で遠赤外線輻射の複合相乗効果によって、強力に水を活性化さす水処理活水装置を提案して問題を解消するものである。【選択図】    図３
2005000900.tif 000002
【特許請求の範囲】
【請求項１】
永久磁石をアルミニュウムシートで包装し、更に遠赤外線を輻射するセラミックシートで覆って成る活水器部品。
【請求項２】
永久磁石をアルミニュウムシートで包装し，更に遠赤外線を輻射するセラミックシートで帽子をかぶせるように覆いスカートを広げたように垂れ下がっていることを特徴とした活水器部品。
【請求項３】
請求項１又は２記載の活水器部品を更にゴムで覆ったこと特徴とした活水器部品。
【請求項４】
請求項１又は２記載の活水器部品に使用する永久磁石が強力なネオジウム永久磁石とフエライト永久磁石とがサンドウイッチ状に積層されていることを特徴とした活水器部品。
【請求項５】
給水管に防水ビニールテープを巻き付けた部位に請求項１〜４のいずれかの１項記載の活水器部品をＮ極とＳ極とを相対向させて装着し更に防水ビニールテープを巻き付けて、固定して成る水処理活水装置。
【発明の詳細な説明】
【０００１】
【発明の属する技術分野】
本発明は、磁気流体力学に基づく、水の磁気処理と、セラミックより輻射する遠赤外線の複合相乗効果によって、水分子のクラスターを小さくし、活性化すると同時に、老朽化した鉄製配給水管の改善に、関するものである。
【０００２】
【従来の技術】
従来の水処理技術を観察するとき、築２５年以上経過の建物内に配管されている給配水管は水質の悪化に伴って、赤錆や、スケールの付着が激しく、給水管の老朽化現象を、早めている。平成１２年１月２９日、ＮＨＫ総合テレビ「なるほど経済」でマンションの老朽化対策について放映では、築２５年以上経過の「ビル」は赤錆や、スケールの付着が激しく、給水管の老朽化現象は、管にピンホールが出来たり、漏水，管破損、赤水の発生で、ビル、マンションの寿命を縮めるので、給水管の交換が必要である。
しかし給配水管は、マンション、ビル建物内に張り巡らされていて、交換には多大な費用がかゝるので、現在対策として老朽管の洗浄、防錆剤の投入等の技法が実施されている。新しい技術として、オゾン発生装置、磁場処理セラミックスによる遠赤外線輻射装置も利用されつゝあるが、大掛かりな設備であったり、給水管を切断して取り付けるなど工事費や装置が高価なものが多く、消費者がビル、建物に装着するに、かなりの決断を要する。
【０００３】
【発明が解決しようとする課題】
上述のように、従来の技術には下記のような問題がある。
１．大掛かりな装置で電気駆動や薬剤投与による維持管理に、多大な経費が必要になる。
２．管を洗浄しても時間の経過とゝもに赤錆が再付着する。
３．薬剤投入は連続投入が義務付けられ、経費負担がかさむ上、飲料水として多量の投入は薬禍の心配がつきまとう。
４．新しい技術として磁気流体力学に基ずく磁力線による水処理装置が種ゝ、見られるが、ビル、建物の給排水管の途中を切断して設置する技術が殆んどで、断水しての工事、装置も高価である。
５．そこで、上記１〜４の問題を解消するために、本発明と同一出願人が平成１２年１０月２６日付け特願２０００−２０５４２５号で給水管を切断せずに水処理が可能な装置を出願し実施しているが。しかしながら、全ての既設配管に適用するには、装置の形状及び寸歩上使用できない所が生じてきた。
６．．国県市町所有の、ビル、マンション、学校、病院等では築３０年を超える建築物が増加しつゝあり、給水管が老朽化し赤水が流出しているものが多いが従来の活水装置を利用するには困難な問題がある。公共の建築物の付帯改善工事には「元の形状に復元するとのきまりがあるようで、従来の活水装置」では、導入されにくい難点があることが判明した。
それは大きい建築物の給水管の直径は１０ｃｍ〜１５ｃｍ程度のものが多い、これらの配給水管は保温材で保護され、カバーがかけられている。給配水管とカバーの間隔は約３ｃｍで、このすき間に活水器を装着しないと装着工事後、元の型に復元ができないという問題点が生ぎた。
【０００４】
そこで、次のようなことのできるものを提供とするものである。
１．無薬品処理による水質改良を図る。
２．建物の内の老朽化した給配水管を交換せずに、本装置を装着することで鉄管内の赤錆（Ｆｅ２Ｏ３）を黒錆（Ｆｅ３Ｏ４）に変化させ赤水の流出を改善し、給配水管の寿命を延命させる作用、働きをする。
３．設備工事のスペースをとらず、外給配水管を切断することなく、小型で高性能な水活水器。
４．半永久的に効果が持続する。
【０００５】
【課題を解決するための手段】
本願は、上記の課題を解決するために、強力な磁場と遠赤外線の複合相乗効果によって、水を活性化さすものである。その手段を例記する。
１．通水管を切断することなく使用する水処理活水装置を図１．２．３に示す。
【０００６】
通水管を切断することなく使用する水処理活水装置に使用する活水器部品の構造を説明する。その構造は、永久磁石をアルミニュウムシートで包装し、該アルミニュームシートで包装した永久磁石を遠赤外線を更に輻射するセラミックシートで覆った活水器部品とか、そのセラミックスシートが帽子をかぶせるように覆い二方又は四方にスカートを広げたように垂れ下がっているものや、更にゴムで外装した活水器部品である。
尚、磁石を包装、密封するアルミニュウムシートは柔らかく縦、横にしわのある和紙のような丈夫なシートが好ましい。
又、該活水器部品に使用する永久磁石には強力なネオジウム永久磁石とフエライト永久磁石とがサンドウイッチ状に積層した活水器部品をも提供する。
上記の活水器部品を通水管に装着する一例として、先ず、給水管に防水ビニールテープを巻き付けた部位に上記活水器部品をＮ極とＳ極とを相対向させて、管径や水質等に応じて複数個装着することが好ましい。この場合、既設配管カバーには間隔制約がある場合には、活水器部品を高さ１８ｍｍ以下に製作するとよい。
尚屋外に設置する場合、紫外線や風雨に備えて、ゴム容器に上記活水器部品挿入をして、取付けると湿気やその他耐候性上効果がある。
【０００７】
【発明の実施の形体】
本発明の特徴するところは、強力な磁場と特殊な遠赤外線輻射セラミックスシートの遠赤外線の複合相乗効果によって、従来にない高率で水を活性化し、且つ、管を切断することなく容易に装置の取付けが可能で、しかも、部品の構造も簡単であることなどから非常に安価に製作が可能になる。更に、管径や処理前の水質に応じて、水処理活水装置の取付け個数を自由に選択できるところにも特徴がある。ビル、マンション、学校、病院等の広くて、大きな、建物にあっては、揚水ポンプ付近高架水層の前後に小型高性能活水部品を多数装着することで老朽鉄給水管を磁気遠赤外線活水装置で磁化処理する。
建物内では給水管が、トイレ、部屋、教室、研究室など種ゝの場所に設置されているので、重要なポイントに活水器部品の取付けが、１００セットなることもある。築３０年以上経過の、大きな建物にあっては、一基の高架水槽より、数多くの建物に給水管が施設されていて老朽化し赤水が流出するので、きめ細かい活水器部品の取付けが心要となる。
【０００８】
次に各構成の機能．作用について説明する。請求１．２記載の発明に用いる磁石は特に強力なエネルギーを持つ物が必要である、本願の実施例では、主にネオジウム永久磁石表面磁束密度４３０ミリテスラ、直径１９ｍｍ丸厚さ１０ｍｍ、直径２２ｍｍ丸厚さ１０ｍｍ、２５．４ｍｍ×２５．４ｍｍ、角厚さ１２．７ｍｍ、４６０ミリテスラを使用する、これらの永久磁石は吸着力が極めて強く２０ｃｍ〜３０ｃｍの間隔で、Ｎ極Ｓ極の磁石を並べて置くと強力な磁力線が働きＮ極Ｓ極相吸引して、ハイスピードでバチンと相吸着して割れたり、欠けたり、指を挟まれ怪我をする、又吸着した二つの磁石は人の手の力ではＮ極Ｓ極をはずすことは容易にできない、この強力な磁石を活水器に利用するには柔らかく縦，横「しわ」のある和紙ように丈夫な、アルミニューム、シートで包み，密封することで上記のトラブルを軽減することができ建物の給水管を切断、することなく、カバーをはずして、現場で、活水器部品を取付けは短時間で取付けが可能になり、コスト低減に寄与できる。
この現象は、液体がある、速度で磁界を通過するとき、液体分子の磁気モーメントと、磁界とが相互作用により液体分子が励起され、その結果、不安定な活性状態が作り出される為と考えている。「ファラデイ」の電磁誘導法則にしめされている変化が起こり、水の分子が少なくなり、水の活性状態を作り出し、浸透力、溶解力を高め酸化還元、酸化抑制作用の働きをするようになり、鉄給水管の内周面の赤錆（Ｆｅ２０３）の鉄分と反応し、酸化促進させ（Ｆｅ３０４）の黒錆となり、これ以上、錆の発生を防止する防錆効果を発揮するようになる。
【０００９】
さらに遠赤外線輻射機能が付加すると、４〜１４μｍの波長の電磁エネルギーが放射され、水道水の機能化を促進する殺菌剤であるカルキ（塩素）の嫌な臭いをうすめる。ただし、残量塩素を有効に残存しているので殺菌力は向上する。
又、水道水に含まれているフッ素、硝酸チッソ、中性洗剤、悪臭などを取り除く作用が励起され、質の高い水道水を作りだすことができる。
本願の実施例で使用した遠赤外線輻射セラミックスシートは、遠赤外線輻射率９０％の高品質のセラミック粉末を接着剤にねりこんで、テトロン製生地に塗布し、極小のテトロン糸を静電気を利用し吸着し、製造されたフロッキー加工の布地で、重量３０％は密封されたセラミックスの粉末で占める特別に作られた素材である。
【００１０】
一般に市販されている遠赤外線輻射衣料の生地は、糸にセラミックスを混じて織布するため、糸重量の１０％以上のセラミックスを混ぜると糸切れするため、遠赤外線輻射量の少ない衣料が始どである。本発明に使用せる「シート」の効能についで手近な例を上げれば「タバコ」を５分間、シートの上にのせておくことで、「ニコチン」が「ニコチンアミド」と言う「ビタミン」に変化して、「タバコ」の味を、軽くする働きをする。
【００１１】
戸別家屋、マンション、公営住宅の築２５年以上経過した建物の内の鉄水道管の水を洗面所で採取して、厚生大臣指定水質検査機関で飲料水標準１３項目の水質検査を依頼すると、残留塩素０．０１未満の判定を受けるのが殆どの水である。供給される飲料水の質の低下と、鉄給水管の内部赤錆腐蝕で、消毒用塩素が全然機能していないことを示している。毎日の生活用水がこのような状況では不安になる。洗面所は、顔をあらったらり、口をすゝいだり、又飲用したり、手を洗ったり大切な生活の場である。本発明は、表１．２に示すように水道水の活性化と共に、残留塩素の存在を復活させる作用は力強いものがあることが確認できる。
【００１２】
尚、本発明の水処理活性装置の効果を簡単に確認する方法を開示する。水処理活水器取り付け後、水道水を透明のボトルに採水して、その中に赤錆の釘か鉄片を投入する。赤錆の釘は２〜３日で錆が水に溶け出し、１〜２ヶ月でボトルの中の赤錆の釘が黒錆に変化します。活性化された水の作用です。通常の水道水に赤錆は溶け出しますが、赤錆の釘が黒錆に変化することはありません。早く黒錆化する。黒錆化に日数かゝる。これらの違いも判断の目安です。
【００１３】
実施例、図、１図に基ずき発明を説明する。図１の（ａ）は、水処理活性装置の構造を示す。強力な永久磁石を柔らかくして、縦横にしわのある和紙のように丈夫なアルミニュームシートで包み密封する。その上に、遠赤外線を輻射する、セラミックスシートで帽子をかぶせたように覆い、下部はスカートを二方四方に広げたような形に作り固着して造る。図１（ｂ）は屋外にあって、風雨にさらされ、紫外線を直接受ける場所に取り付ける一例を示す活水器部品である。該部品はネオジウム永久磁石を湿気に強いフエライト磁石を上下に置き、三重構造に、上記にアルミニユームシートで密封しセラミックスシートをかぶせて固着しゴムケースに収めて、保護する。  磁石の形状は四角形、円筒形のものを使用すればよい、特に限定しない。
【００１４】
図２は上記の活水器部品を配給水管に装着したところを示す。
先ず配水管（７）に防水ビニールテープ（８）を巻きつけ、次に活水器部品を配給水管（７）周壁外面に位置決めし、一方のＮ極活水器部品と他方のＳ極活水器部品とは、互いに配給水管を挟んで対向するように装着し、防水ビニールテープで固定する。学校、病院、大きなビル、マンションにあっては配給水管の、長径が１５ｃｍ以上と太く大量の水を配給水するので、図３如く本発明の活水部品（１ａ）を複数個、複数列、装着すればＮ極の磁石からＳ極の磁石に向かって磁力線が配給水管を横切り又Ｓ極からもＮ極に向かって配給水管を横切り強磁界を構成する。磁力線とセラミックスと水との相乗効果は上述と同様なので省略する。
【００１５】
上述のような方法で第３１年経過の国立等工業専門学校の高架水槽の配給水管に本発明の部品をテスト装着して、その効果を、表１、表２の如く確認した。
設置した学校の規模は、生徒数、約１０００人、教官室、事務室、各種実験室教室、環境棟、食堂など、多くの建物が接続又点在し、学校正面の四階に水量１０トンを貯留する、高架水槽があり、こゝから各棟、食堂に給水されています。
高架水槽より１００ｍの距離にある老朽化のすゝんでいる環境棟の男子トイレをテスト効果を確認する探水所に上記トイレの便器には赤水流失のあとが、しっかりとついていました。又トイレの清掃用のモップ洗濯の容器の底にも赤水の流失のあとがあり、赤錆が、かなり付着していました。
高架水槽に出入りする配給水管の直径は１５ｃｍあり広い学校の全体の配給水管内面の赤錆を黒錆に改善するには合計６０個の活水器部品を平成１４年１２月２１日に取り付けることが必要があつた、平成１５年１月８日環境棟の男子トイレの手洗蛇口より第１回目を採水、厚生労働大臣指定水質検査所、北陸衛生研究所で検査した結果表１の如く、鉄分３．３ｍｇ／Ｌ、色度６度、濁度１１度、飲料水水質基準に不適合でした、平成１５年２月２４日、活水器取付けより７６日後２回目の採水を水質検査の結果は表２に示す。表２では鉄分が０．０６ｍｇ／Ｌ、色度１度、濁度０．５度と大きく改善され、厚生労働省、飲料水、水質基準に適合し、又残留塩素が０１．２ｍｇ／Ｌから、０．２０ｍｇ／Ｌと増加を示している。これは、鉄配給水管内の側面の赤錆が黒錆に改善されつゝある事を証明できるデーターである。
【００１６】
活水器取付け１８日経過後採水した水質検査書を表１に示す
【表１】
2005000900.tif 000003
【００１７】
活水器取付け７６日経過後に採水した水質検査書を表２に示す
【表２】
2005000900.tif 000004
【００１８】
６０ミリ以下の細い配給水管（７）には直径に２２ｍｍ又は１９ｍｍ（厚さ１０ｍｍ）の永久磁石を図２の如く、配給水管に防水ビニールテープ（８）を巻きつけ、その外周壁に、Ｎ極、Ｓ極相対向するように取付けた状態を示す。
【００１９】
【発明の効果】
本発明を実施するこよによって、表１．２．で示すように、従来の技術では達成できない顕著な数値が確認されている。これは強力な磁場内で特殊な遠赤外線輻射セラミックスシートより放射される遠赤外線の複合相乗効果によって高い効率で水が活性化されるのである。
【００２０】
この発明によって、築２５年以上経過のビル、マンション、学校、病院、の建築物は殆ど、鉄筋コンクリートで造られているため鋼管製配給水管が老朽化し、管内側面は赤錆で犯され、赤水、黄水が流失するような状態になってしまうが、配給水管は、コンクリートの建物の内部に埋没されているため、容易に交換できない。
塩化ビニール管を増設する方法もあるが、建物全体となると多大なる費用がかゝることになる、
本発明の磁気遠赤外線活水器装置は配給水管を切断する必要もなく、多大な出費と設備費が不要になった。高価な磁場活水完成装置を設置の必要もなく、薬品を使用することもなく、手軽に、トラブルを起こすこともなく取付け可能で強力な磁気と、遠赤外線の複合相乗作用は、科学的に証明できない部分もあるが表、（１）（２）の国立高専水質検査結果で確認できるように顕著な水質の改善がされている。
国、公立の学校、病院では昨今公共工事の予算が減額され、改善、改築の予算は出るが新築の予算は得られなくなっており責任者がこまっておられる様子です、築３０年以上経過の公共の大型の建物は年々増加しているのが現状である。
本発明の活水器部品は鉄給水管と、保温カバーのすき間３０ミリ内部に多数の活水器部品を取付けることができカバーをかけて工事前の現状復元が可能になった、又本発明によって健康面、経済面に計りしれない効果を生じる。特に飲料水の質低下、大型ビル、学校、病院の老朽化の激しい建物に一石を投じたい。
【図面の簡単な説明】
【図１】（ａ）は請求項１記載の実施を示し、磁気遠赤外線輻射部品の横から見た断面図である。
（ｂ）請求項３記載の実施例を示した断面図である。
【図２】（ｃ）請求項Ｉ記載の活水器部品を配給水管（７）に防水ビニールテープ（８）を巻きつけて装着し防水ビニールテープ（８）で固定した側面図である。
【図３】請求項ＩＩに記載の活水器部品を配給水管に装着した斜面図である。
【図４】図３に示す活水器部品を太い鉄配給水管に装着した断面図である。
【符号の説明】
１．  強力な永久磁石
２．  遠赤外線輻射セラミックスシート
３．  アルミニームシート
４．  ゴム容器
５．  ネオジウム永久磁石
６．  フエライト永久磁石
７．  通水管
８．  防水ビニールテープ
９．  配給水管の保温カバー
１０．配給水管のカバー内保温材
１１．活水器部品
【図１】
2005000900.tif 000005
【図２】
2005000900.tif 000006
【図３】
2005000900.tif 000007
【図４】
2005000900.tif 000008